(57)【特許請求の範囲】
【請求項１】
無線通信システムにおける複数のリソースを用いて制御ビットと情報ビットを送信する方法であって、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子を送信するステップと、
送信される前記情報ビットを複数のコードブロックに分割するステップと、
各コードブロックで前記情報ビットを符号化するステップと、
データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに複数のリソース要素を割り当てるステップと、
前記割り当てられたリソース要素に基づいて１つ又は複数のアンテナを通して前記情報ビットを送信するステップと、を有し、
前記制御ビットに対する第１のリソース領域と前記情報ビットに対する第２のリソース領域を含むサブフレームを通して前記制御ビットと前記情報ビットがそれぞれ送信され、
前記第１のリソース領域と前記第２のリソース領域は、それぞれ少なくとも１つの多重化シンボルを有し、各多重化シンボルは時間単位に対応し、各多重化シンボルは周波数単位で複数のリソースを有し、
前記制御チャネルフォーマット指示子は、予め定義された多重化シンボル個数内で前記制御ビットが伝送される多重化シンボル数を示し、
前記データ制御チャネル信号は、少なくとも一つの制御チャネル構成要素（Control channel element）で構成される制御チャネル候補の集合である制御チャネル候補集合内の複数の制御チャネル候補のうち一つを通して送信され、
前記情報ビットは、周波数領域で最も小さいインデックスを有する周波数単位リソースから開始して昇順に、時間領域で最も小さいインデックスを有する多重化シンボルから開始して昇順に前記第２のリソース領域にマッピングされる
ことを特徴とする送信方法。
【請求項２】
コードブロック（ｊ）に割り当てられたリソース要素の個数（Ｍj,1）は、下記の数式のように定義されることを特徴とする請求項１に記載の送信方法。
【数１】
0005614905.tif 000032
【請求項３】
前記情報ビットの送信前に符号化過程、伝送率整合(rate matching）過程、及びシンボルマッピング過程を通し、前記シンボルマッピングされた情報ビットは、元の順序とは異なる順序で配列されリソースにマッピングされるステップをさらに有することを特徴とする請求項１または２に記載の送信方法。
【請求項４】
前記情報ビットの送信前に前記情報ビットの送信電力を決定し、前記決定された送信電力を適用するステップをさらに有することを特徴とする請求項１乃至３のうち何れか一項に記載の送信方法。
【請求項５】
前記情報ビットの送信前に前記情報ビットをレイヤーマッピングし、プリコーディングコードブックを用いてプリコーディングすることによって、複数のアンテナに前記情報ビットを整合するステップをさらに有することを特徴とする請求項１乃至４のうち何れか一項に記載の送信方法。
【請求項６】
無線通信システムにおける複数のリソースを用いて制御ビットと情報ビットを送信する送信装置であって、
各コードブロックで前記情報ビットを符号化する符号化器と、
割り当てられたリソース要素に基づいて、一つまたは複数のアンテナを通して前記情報ビットを送信する送信器と、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子を送信し、送信される前記情報ビットを複数のコードブロックに分割し、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに複数のリソース要素を割り当てる動作を制御する制御器と、を含み、
前記制御ビットに対する第１のリソース領域と前記情報ビットに対する第２のリソース領域を含むサブフレームを通して前記制御ビットと前記情報ビットがそれぞれ送信され、
前記第１のリソース領域と前記第２のリソース領域は、それぞれ少なくとも１つの多重化シンボルを有し、各多重化シンボルは時間単位に対応し、各多重化シンボルは周波数単位で複数のリソースを有し、
前記制御チャネルフォーマット指示子は、予め定義された多重化シンボル個数内で前記制御ビットが伝送される多重化シンボル数を示し、
前記データ制御チャネル信号は、少なくとも一つの制御チャネル構成要素（Control channel element）で構成される制御チャネル候補の集合である制御チャネル候補集合内の複数の制御チャネル候補のうち一つを通して送信され、
前記情報ビットは、周波数領域で最も小さいインデックスを有する周波数単位リソースから開始して昇順に、時間領域で最も小さいインデックスを有する多重化シンボルから開始して昇順に前記第２のリソース領域にマッピングされる
ことを特徴とする送信装置。
【請求項７】
コードブロック（ｊ）に割り当てられたリソース要素の個数（Ｍj,1）は、下記の数式のように定義されることを特徴とする請求項６に記載の送信装置。
【数２】
0005614905.tif 000033
【請求項８】
前記制御器は、前記情報ビットの送信前に符号化過程、伝送率整合(rate matching）過程、及びシンボルマッピング過程を通し、前記シンボルマッピングされた情報ビットは、元の順序とは異なる順序で配列されリソースにマッピングされる動作をさらに制御することを特徴とする請求項６または７に記載の送信装置。
【請求項９】
前記制御器は、前記情報ビットの送信前に前記情報ビットの送信電力を決定し、前記決定された送信電力を適用する動作をさらに制御することを特徴とする請求項６乃至８のうち何れか一項に記載の送信装置。
【請求項１０】
前記情報ビットの送信前に前記情報ビットをレイヤーマッピングし、プリコーディングコードブックを用いてプリコーディングすることによって、複数のアンテナに前記情報ビットを整合するステップをさらに有することを特徴とする請求項６乃至９のうち何れか一項に記載の送信装置。
【請求項１１】
無線通信システムにおける複数のリソースを用いて送信された制御ビットと情報ビットを受信する方法であって、
一つまたは複数のアンテナを通して前記制御ビットと前記情報ビットを各々受信するステップと、
複数のコードブロックで前記情報ビットから復号された情報ビットを獲得するステップと、を有し、
前記受信するステップにおいて、前記制御ビットに対する第１のリソース領域と前記情報ビットに対する第２のリソース領域を含むサブフレームを通して前記制御ビットと前記情報ビットが受信され、
前記第１のリソース領域と前記第２のリソース領域は、各々少なくとも一つの多重化シンボルを有し、各多重化シンボルは時間単位に対応し、各多重化シンボルは周波数単位で複数のリソースを有し、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子が受信され、
前記データ制御チャネル信号は、少なくとも一つの制御チャネル構成要素（Control channel element）で構成される制御チャネル候補の集合である制御チャネル候補集合内の複数の制御チャネル候補のうち一つを通して受信され、
前記制御チャネルフォーマット指示子は、予め定義された多重化シンボル個数内で前記制御ビットが送信される多重化シンボル数を示し、
前記情報ビットは、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに割り当てられた複数のリソース要素を通して受信され、
前記情報ビットは、周波数領域で最も小さいインデックスを有する周波数単位リソースから開始して昇順に、時間領域で最も小さいインデックスを有する多重化シンボルから開始して昇順に前記第２のリソース領域にマッピングされることを特徴とする受信方法。
【請求項１２】
コードブロック（ｊ）に割り当てられたリソース要素の個数（Ｍj,1）は、下記の数式のように定義されることを特徴とする請求項１１に記載の受信方法。
【数３】
0005614905.tif 000034
【請求項１３】
前記情報ビットは、レイヤーマッピング及びプリコーディングコードブックを用いたプリコーディングを通して複数のアンテナにマッピングされたことであることを特徴とする請求項１１または１２に記載の受信方法。
【請求項１４】
無線通信システムにおける複数のリソースを用いて送信された制御ビットと情報ビットを受信する受信装置であって、
一つまたは複数のアンテナを通して前記制御ビットと前記情報ビットを各々受信する受信器と、
複数のコードブロックで前記情報ビットを復号化する復号器と、
前記制御ビットに対する第１のリソース領域と前記情報ビットに対する第２のリソース領域を含むサブフレームを通して、前記制御ビットと前記情報ビットを受信する動作を制御する制御器と、を有し、
前記第１のリソース領域と前記第２のリソース領域は、各々少なくとも一つの多重化シンボルを有し、各多重化シンボルは時間単位に対応し、各多重化シンボルは周波数単位で複数のリソースを有し、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子が受信され、
前記データ制御チャネル信号は、少なくとも一つの制御チャネル構成要素（Control channel element）で構成される制御チャネル候補の集合である制御チャネル候補集合内の複数の制御チャネル候補のうち一つを通して受信され、
前記制御チャネルフォーマット指示子は、予め定義された多重化シンボル個数内で前記制御ビットが送信される多重化シンボル数を示し、
前記情報ビットは、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに割り当てられた複数のリソース要素を通して受信され、
前記情報ビットは、周波数領域で最も小さいインデックスを有する周波数単位リソースから開始して昇順に、時間領域で最も小さいインデックスを有する多重化シンボルから開始して昇順に前記第２のリソース領域にマッピングされることを特徴とする受信装置。
【請求項１５】
コードブロック（ｊ）に割り当てられたリソース要素の個数（Ｍj,1）は、下記の数式のように定義されることを特徴とする請求項１４に記載の受信装置。
【数４】
0005614905.tif 000035
【請求項１６】
前記情報ビットは、レイヤーマッピング及びプリコーディングコードブックを用いたプリコーディングを通して複数のアンテナにマッピングされたことであることを特徴とする請求項１４または１５に記載の受信装置。
【発明の詳細な説明】
【技術分野】
【０００１】
本発明は、通信システムにおける変調シンボルをリソースにマッピングするための方法に関し、特に、変調シンボルを相互に異なるリソース領域にマッピングするための方法と複数のコードブロックの変調シンボルをリソースにマッピングするための他の方法に関する。
【背景技術】
【０００２】
通信システムは、送信器と受信器との間の通信のために長距離でデータの送信を可能にする。データは、通常、電波により運搬され、限定された送信リソースを用いて送信される。すなわち、電波は、限定された周波数範囲を用いて所定の時区間にわたって送信される。
【０００３】
現在の通信システムにおいて、送信される情報は、まず符号化された後に、複数の変調シンボルを生成するために変調される。この変調シンボルは、送信リソースにマッピングされる。通常、データ送信のために使用可能な送信リソースは、複数の同一の区間の時間及び周波数スロット、いわゆるリソース要素に分割される。１つのリソース要素又は複数のリソース要素は、データを送信するために割り当てられることができる。データが送信される際に、制御信号は、現在のデータ送信のためのリソース要素の割り当てに関する情報を送信するためにこのデータを伴うことができる。したがって、受信器がこのデータ及びこの制御信号を受信する際に、この受信器は、この制御信号からデータ送信のために使用されたリソース割り当てに関する情報を得ることができ、この得られた情報を用いてこの受信されたデータを復号する。
【０００４】
第３世代パートナーシッププロジェクトロングタームエボリューション（3rd Generation Partnership Project Long Term Evolution：３ＧＰＰ ＬＴＥ）システムにおいて、一定のリソース要素は、制御信号の送信のために割り当てられる。したがって、このデータシンボルは、制御信号の送信のために割り当てられないリソース要素にマッピングされることができる。各データ送信は、１つ又は複数の送信ブロックの情報ビットを運搬する。１つの送信ブロックがもっとも大きいコードブロックサイズより大きい際に、送信ブロック内の情報ビットは、複数のコードブロックに分割されることができる。１つの送信ブロック内の情報ビットを複数のコードブロックに分割する過程は、コードブロック分割と呼ばれる。コードブロックサイズの限定された選択及びこのコードブロック分割の間にパッキング効率性を最大化するための試みのために、送信ブロックの複数のコードブロックは、相互に異なるサイズを有してもよい。各コードブロックの符号化、インターリービング、レートマッチング、及び変調が行われる。したがって、送信のためのデータシンボルは、複数のコードブロックの変調シンボルで構成されてもよい。
【発明の概要】
【発明が解決しようとする課題】
【０００５】
したがって、本発明は、上述した従来技術の問題点を解決するために提案されたものであり、その目的は、向上した送信方法を提供することにある。
【０００６】
本発明の他の目的は、マップ変調シンボルのための向上したマッピング方式を提供することにある。
【課題を解決するための手段】
【０００７】
上記のような目的を達成するために、本発明の構成の一態様によれば、時間ドメインサブフレーム内の送信リソースを時間及び周波数ドメイン内の複数の等区間リソース要素に分割するステップと、この複数のリソース要素を１つ又は複数のリソース領域に分離するステップと、送信器で一連の変調シンボルを生成するために送信される情報を変調するステップと、この一連の変調シンボルをこの複数のリソース領域内の複数のリソース要素にマッピングするステップと、この変調シンボルを各々対応するリソース要素を使用する１つ又は複数のアンテナを介して受信器に送信するステップとを具備する送信方法を提供する。少なくとも１つのリソース領域、すなわち、第１のリソース領域内のこの変調シンボルのマッピングは、この時間ドメインサブフレーム内で運搬された特定の制御チャネル情報に依存せず、少なくとも他の１つのリソース領域、すなわち、第２のリソース領域内のこの変調シンボルのマッピングは、このサブフレーム内で運搬されたこの特定の制御チャネル情報に依存する。
【０００８】
この特定の制御チャネル情報は、制御チャネルフォーマット指示子であってもよい。
【０００９】
この方法は、この変調シンボルをこのリソース要素にマッピングする前に、この一連の変調シンボルをインターリービングするステップをさらに具備してもよい。
【００１０】
この一連の変調シンボルは、時間ドメインでもっとも小さいインデックスを有する多重化シンボルから開始して、このリソース領域で複数の多重化シンボル内のリソース要素に順次にマッピングされてもよい。多重化シンボルの一例は、直交周波数分割多重化（ＯＦＤＭ）システムにおけるＯＦＤＭシステムである。
【００１１】
この一連の変調シンボルのマッピングは、この少なくとも１つの第１のリソース領域内のリソース要素から開始してもよい。この変調シンボルの個数がこの少なくとも１つの第１のリソース領域内のリソース要素の個数より多いと、残っている変調シンボルは、この少なくとも１つの第２のリソース領域内のリソース要素にマッピングされてもよい。
【００１２】
この多重化シンボルは、時間ドメインでもっとも小さいインデックスを有する多重化シンボルから開始して昇順に各リソース領域内でマッピングされてもよい。
【００１３】
この変調シンボルをこの多重化シンボル内のリソース要素にマッピングした後に、各多重化シンボル内の変調シンボルは、周波数ドメインでインターリービングされてもよい。
【００１４】
選択的に、この第１のリソース領域で、この多重化シンボルは、降順にマッピングされてもよく、この第２のリソース領域で、この多重化シンボルは、昇順にマッピングされてもよい。
【００１５】
また選択的に、この第１のリソース領域で、この多重化シンボルは、昇順にマッピングされてもよく、この第２のリソース領域で、この多重化シンボルは、降順にマッピングされてもよい。
【００１６】
また、この方法は、第１の変調シンボルの個数を得るためにこの少なくとも１つの第１のリソース領域で使用可能なリソース要素の個数を計算するステップと、第２の変調シンボルの個数を得るためにこの少なくとも１つの第２のリソース領域で使用可能なリソース要素の個数を計算するステップと、この第１の変調シンボルの個数をこの少なくとも１つの第１のリソース領域内のリソース要素にマッピングするステップと、この第２の変調シンボルの個数をこの少なくとも１つの第２のリソース領域内のリソース要素にマッピングするステップとをさらに具備してもよい。
【００１７】
また、この方法は、この特定の制御チャネル情報を運搬する制御チャネル信号をこの送信器を介してこの受信器に送信するステップと、この受信器でこの特定の制御チャネル情報を抽出するためにこの制御チャネル信号を復号するステップと、この少なくとも１つの第２のリソース領域でどんなリソース要素がこの変調シンボルの送信のために使用されるかを決定するステップと、第１のデータパケットを生成するためにこの少なくとも１つの第１のリソース領域の中で選択されたリソース領域で送信されたこの変調シンボルを収集するステップと、この第１のデータパケットを復号するステップと、この第１のデータパケットが正確に復号されるかを決定するステップと、この第１のデータパケットの復号が失敗すると、このリソース領域とこの少なくとも１つの第１のリソース領域及びこの少なくとも１つの第２のリソース領域の中で選択された他のリソース領域で送信された変調シンボルを反復的に収集するステップと、この収集された変調シンボルが復号されるまでこの収集された変調シンボルを復号するステップとをさらに具備してもよい。
【００１８】
この制御チャネル信号の復号が失敗すると、この受信器は、この収集された変調シンボルが復号されるまで、このリソース領域及びこの少なくとも１つの第１のリソース領域の中で選択された他のリソース領域で送信されたこの変調シンボルを反復的に収集し復号してもよい。
【００１９】
本発明の構成の他の態様によれば、時間ドメインサブフレーム内の送信リソースを時間及び周波数ドメイン内の複数の等区間リソース要素に分割するステップと、さらに多い個数の情報ビットを含む少なくとも１つのコードブロック及びさらに少ない個数の情報ビットを含む少なくとも１つのコードブロックを備える複数のコードブロックを生成するために送信される情報を分離するステップと、複数の符号化されたビットを生成するためにこのコードブロックを符号化するステップと、送信器で一連の変調シンボルを生成するためにこのコードブロックで複数の符号化されたビットを変調するステップと、この複数のコードブロックの各々にほぼ同一の個数のリソース要素を割り当てるステップと、ここで、このリソース要素の中で若干さらに多い個数のリソース要素は、さらに大きいサイズを有するこのコードブロックに割り当てられ、若干さらに少ない個数のリソース要素は、さらに小さいサイズを有するこのコードブロックに割り当てられ、この変調シンボルを各々対応するリソース要素を使用する１つ又は複数のアンテナを介して受信器に送信するステップとを具備する送信方法を提供する。
【００２０】
本発明の構成のさらなる態様によれば、時間ドメインサブフレーム内の送信リソースを時間及び周波数ドメイン内の複数の等区間リソース要素に分割するステップと、この複数のリソース要素を少なくとも１つの第１のリソース領域及び少なくとも１つの第２のリソース領域を有する複数のリソース領域に分離するステップと、ここで、この第１のリソース領域及びこの第２のリソース領域の各々は、少なくとも１つの多重化シンボルを具備し、各多重化シンボルは、時間スロットに対応し、各周波数サブキャリアに対応する複数のリソース要素を具備し、複数のコードブロックを生成するために送信される情報を分割し、各コードブロックは、複数の情報ビットを含むステップと、複数の符号化されたビットを生成するために上記コードブロックを符号化するステップと、送信器で一連の変調シンボルを生成するためにこのコードブロックでこの複数の符号化されたビットを変調するステップと、各コードブロック内の少なくとも１つの変調シンボルをこの少なくとも１つの第１のリソース領域内のリソース要素にマッピングし、このマッピングは、この時間ドメインサブフレーム内で運搬された特定の制御チャネル情報に依存しないステップと、この変調シンボルを各々対応するリソース要素を使用する複数のアンテナを介して受信器に送信するステップとを具備する送信方法を提供する。
【００２１】
また、この方法は、各コードブロック内の少なくとも１つの変調シンボルをこの少なくとも１つの第２のリソース領域内のリソース要素にマッピングするステップをさらに具備してもよく、このマッピングは、この時間ドメインサブフレーム内で運搬された特定の制御チャネル情報に従属する。
【００２２】
また、この方法は、この少なくとも１つの第１のリソース領域の中の１つのリソース領域でほぼ同一の個数のリソース要素を、この複数のコードブロックの各々に割り当てるステップをさらに具備してもよい。
【００２３】
また、この方法は、この少なくとも１つの第２のリソース領域の中の１つのリソース領域でほぼ同一の個数のリソース要素を、この複数のコードブロックの各々に割り当てるステップをさらに具備してもよい。
【００２４】
また、この方法は、この少なくとも１つの第１のリソース領域の中の１つのリソース領域でほぼ同一の個数の符号化されたビットを、この複数のコードブロックの各々に割り当てるステップをさらに含んでもよい。
【００２５】
また、この方法は、この少なくとも１つの第２のリソース領域の中の１つのリソース領域でほぼ同一の個数の符号化されたビットを、この複数のコードブロックの各々に割り当てるステップをさらに具備してもよい。
【００２６】
また、この方法は、この複数のコードブロックの中でほぼ同一の符号化率を取得するために、この少なくとも１つの第１のリソース領域の中の１つのリソース領域で選択された個数のリソース要素を、この複数のコードブロックの各々に割り当てるステップをさらに具備してもよい。
【００２７】
また、この方法は、この複数のコードブロックの中でほぼ同一の符号化率を取得するために、この少なくとも１つの第２のリソース領域の中の１つのリソース領域で選択された個数のリソース要素を、この複数のコードブロックの各々に割り当てるステップをさらに具備してもよい。
【００２８】
また、この方法は、この複数のコードブロックの中でほぼ同一の符号化率を取得するために、この少なくとも１つの第１のリソース領域の中の１つのリソース領域で選択された個数の符号化されたビットを、この複数のコードブロックの各々に割り当てるステップをさらに具備してもよい。
【００２９】
また、この方法は、この複数のコードブロックの中でほぼ同一の符号化率を取得するために、この少なくとも１つの第２のリソース領域の中の１つのリソース領域で選択された個数の符号化されたビットを、この複数のコードブロックの各々に割り当てるステップをさらに具備してもよい。
【００３０】
本発明の構成のさらなる他の態様によれば、送信される情報を複数の変調シンボルに変調する変調器と、この複数の変調シンボルを複数のリソース領域を有する時間ドメインサブフレーム内の複数のリソース要素にマッピングし、少なくとも１つのリソース領域内の変調シンボルのマッピングは、特定の制御チャネル情報に依存しないマッピング部と、この対応するリソース要素を使用してこの変調シンボルを送信するための複数の送信器とを具備する送信装置を提供する。
【発明の効果】
【００３１】
本発明は、受信側ＲＬＣエンティティで受信したＲＬＣ ＰＤＵのヘッダーから拡張ビット及びＬＩを確認するために実行される比較及びマスキング動作を減少させることにより、効率的にＬＩを確認することができる。
【図面の簡単な説明】
【００３２】
【図１】本発明による直交周波数分割多重（ＯＦＤＭ）送受信器チェーンを示す図である。
【図２】本発明によるＯＦＤＭサブキャリアを示す図である。
【図３】本発明による時間ドメインでのＯＦＤＭシンボルを示す図である。
【図４】本発明による単一キャリア周波数分割多重接続（ＳＣ-ＦＤＭＡ）送受信器チェーンを示す図である。
【図５】本発明によるハイブリッド自動再送要求（ＨＡＲＱ）送受信器チェーンを示す図である。
【図６】本発明による４-チャネルＨＡＲＱ送信方式を示す図である。
【図７】本発明による多入力多出力システムを示す図である。
【図８】本発明によるプリコーディングされたＭＩＭＯシステムを示す図である。
【図９】本発明によるＬＴＥダウンリンク制御チャネル要素を示す図である。
【図１０】本発明によるＬＴＥダウンリンクサブフレーム構成を示す図である。
【図１１】本発明の第１の実施形態によるマッピング方式を示す図である。
【図１２】本発明の第１の実施形態によるインターリービング方式及びマッピング方式を示す図である。
【図１３】本発明の第１の実施形態に従って変調シンボルをマッピングするための手続きを示すフローチャートである。
【図１４】本発明の第２の実施形態に従って変調シンボルを復号するための手続きを示すフローチャートである。
【図１５】本発明の第４の実施形態によるマッピング方式を示す図である。
【図１６】本発明の第５の実施形態によるマッピング方式を示す図である。
【発明を実施するための形態】
【００３３】
図１は、直交周波数分割多重化送受信器チェーンを示す。ＯＦＤＭ技術を使用する通信システムにおける送信器チェーン１１０で、制御信号又はデータ１１１は、変調器１１２により一連の変調シンボルで変調され、その後に、直列／並列変換器１１３により直列信号から並列信号に変換される。逆高速フーリエ変換部１１４は、周波数ドメインから時間ドメインへのこの並列信号を複数のＯＦＤＭシンボルに変換するために使用される。サイクルプレフィックス（Cyclic Prefix：ＣＰ）又はゼロプレフィックス（Zero prefix：ＺＰ）は、多重経路フェージングによる影響を除去するか又は減少させるためにＣＰ挿入部１１６により各ＯＦＤＭシンボルに付加される。その結果、この信号は、アンテナ（図示せず）のような送信器（Ｔｘ）前端処理部１１７又は選択的に有線又はケーブルにより送信される。受信器チェーン１２０で、完璧な時間及び周波数同期が取得されると、受信器（Ｒｘ）前端処理部１２１により受信された信号は、ＣＰ除去部１２２により処理される。高速フーリエ変換（ＦＦＴ）部１２４は、後の処理のためにこの受信された信号を時間ドメインから周波数ドメインに変換する。
【００３４】
ＯＦＤＭシステムにおいて、各ＯＦＤＭシンボルは、複数のサブキャリアで構成される。ＯＦＤＭシンボル内の各サブキャリアは、変調シンボルを運搬する。図２は、サブキャリア１、サブキャリア２、及びサブキャリア３を使用するＯＦＤＭ送信方式を示す。各ＯＦＤＭシンボルが時間ドメインで有限持続時間を有しているために、このサブキャリアは、周波数ドメインで相互に重なる。図２に示すように、この送受信器で完璧な周波数同期化を取得すると、サンプリング周波数で直交性が保持されることができる。不完全な周波数同期化又は高速の移動性による周波数オフセットが発生する場合には、このサンプリング周波数でこのサブキャリアの直交性が破壊され、その結果、キャリア間干渉（inter-carrier-interference：ＩＣＩ）が発生する。
【００３５】
図３は、時間ドメインで送受信されたＯＦＤＭシンボルを示す。多重経路フェージングのために、この受信された信号のＣＰ部分は、前のＯＦＤＭシンボルにより頻繁に損傷される。しかしながら、このＣＰが十分に長いと、ＣＰがないこの受信されたＯＦＤＭシンボルは、この多重経路フェージングチャネルによりコンボリュートされた自身の信号だけを含まなければならない。一般的に、後の周波数ドメインでの処理のために、受信器側は、高速フーリエ変換（ＦＦＴ）を実行する。他の送信方式に比べてＯＦＤＭ方式の長所は、多重経路フェージングにロバストであるという点である。時間ドメインでの多重経路フェージングは、周波数ドメインでの周波数選択性フェージングに変形される。このサイクリックプレフィックス（ＣＰ）又はゼロプレフィックス（ＺＰ）が付加されることにより、隣接したＯＦＤＭシンボル間のシンボル間干渉は除去されるか又は大きく軽減する。さらに、各変調シンボルが狭い帯域幅を介して送信されるために、この変調シンボルは、単一経路フェージングを経験する。周波数選択性フェージングを解決するために簡素な等化方式が使用されることができる。
【００３６】
単一キャリア周波数分割多重接続（ＳＣ-ＦＤＭＡ）は、単一キャリア変調及び周波数ドメイン等化を使用し、ＯＦＤＭシステムと類似した性能及び複雑性を有する技術である。ＳＣ-ＦＤＭＡの長所は、ＳＣ-ＦＤＭＡ信号が固有の単一キャリア構成により低い最大電力対平均電力比（peak-to-average power ratio：ＰＡＰＲ）を有する点である。通常、低いＰＡＰＲは、電力増幅器の高い効率をもたらし、特に、アップリンク送信で移動局に重要である。ＳＣ-ＦＤＭＡは、３ＧＰＰロングタームエボリューション（ＬＴＥ）においてアップリンク多重接続方式として選択される。図４は、ＳＣ-ＦＤＭＡのための送受信器チェーンの一例を示す。送信器側で、データ又は制御信号は、直列／並列（Ｓ／Ｐ）変換器１４１により直列から並列に変換される。サブキャリアマッピング部１８３が時間ドメインデータをサブキャリアの集合にマッピングする前に、ＤＦＴ変換器１８２は、時間ドメインデータ又は制御信号に離散フーリエ変換（Discrete Fourier transform：ＤＦＴ）を適用する。低いＰＡＰＲを保証するために、通常、周波数ドメインでのＤＦＴ出力は、隣接したサブキャリアの集合にマッピングされるのであろう。この際に、この信号を時間ドメインにさらに変換するために、ＩＦＦＴ変換器１８４は、このＤＦＴより大きいサイズを有するＩＦＦＴを実行する。並列／直列（Ｐ／Ｓ）変換器１８５により並列信号から直列信号に変換された後に、このデータ又はこの制御信号が送信器前端処理部１８７に送信される前に、ＣＰ挿入部１８６は、このデータ又はこの制御信号にサイクリックプレフィックス（ＣＰ）を付加する。ＣＰが付加されたこの処理信号は、頻繁にＳＣ-ＦＤＭＡブロックと呼ばれる。この信号は、例えば、無線通信システムにおける多重経路フェージングチャネルのような通信チャネル１８８を通過した後に、この受信器は、受信器前端処理部１９１により受信器前端処理を実行し、ＣＰ除去部１９２によりＣＰを除去し、ＦＦＴ変換器１９４及び周波数ドメイン等化により高速フーリエ変換を実行する。周波数ドメインでこの等化した信号のデマッピング１９５が行われた後に、逆離散フーリエ変換（ＩＤＦＴ）１９６が実行されるのであろう。ＩＤＦＴの出力は、復調及び復号のような追加の時間ドメイン処理過程を経る。
【００３７】
パケット基盤無線データ通信システムにおいて、制御チャネル、すなわち制御チャネル送信を介して送信された制御信号は、一般に、データチャネル、すなわちデータ送信を介して送信されたデータ信号を伴う。制御チャネルフォーマット指示子（control channel format indicator：以下、“ＣＣＦＩ”と称する。）、応答信号（acknowledgement signal：以下、“ＡＣＫ”と称する。）、及びパケットデータ制御チャネル（packet data control channel：以下、“ＰＤＣＣＨ”と称する。）信号を含む制御チャネル情報は、ユーザＩＤ、リソース割当情報、ペイロードサイズ、変調、ＨＡＲＱ情報、及びＭＩＭＯ関連情報のようなデータ信号のための送信フォーマット情報を運搬する。
【００３８】
ハイブリッド自動再送要求（Hybrid Automatic Repeat reQuest：以下、“ＨＡＲＱ”と称する。）は、復号失敗を除去し、信頼性を向上するために通信システムで幅広く使用される。各データパケットは、特定の順方向エラー訂正（forward error correction：以下、“ＦＥＣ”と称する。）方式を用いて符号化される。各サブパケットは、この符号化されたビットの一部分だけを含んでもよい。フィードバック応答チャネルでＮＡＫにより示されるように、サブパケットｋの送信が失敗すると、この受信器がこのパケットを復号するように助けるために再送信サブパケット（サブパケットｋ＋１）が送信される。この再送信サブパケットは、前のサブパケットと異なる符号化されたビットを含んでもよい。この受信器は、復号の機会を向上させるためにこの受信されたサブパケットのすべてをソフト結合するか又は一緒に復号する。通常、最大送信回数は、信頼性、パケット遅延、及び実現複雑性をすべて考慮して設定される。
【００３９】
実現の簡素さにより、Ｎチャネル同期式ＨＡＲＱが無線通信システムで頻繁に使用される。例えば、同期式ＨＡＲＱは、３ＧＰＰにおいてＬＴＥアップリンクのためのＨＡＲＱ方式として採択された。図５は、４-チャネル同期式ＨＡＲＱの一例を示す。後の送信間の固定された時間関係のために、この同一のＨＡＲＱチャネル内の送信スロットは、インターレース構成を示す。例えば、インターレース０は、スロット０、４、８、…、４ｋ、…で構成され、インターレース１は、スロット１、５、９、…、４ｋ＋１、…で構成され、インターレース２は、スロット２、６、１０、…、４ｋ＋２、…で構成され、インターレース３は、スロット３、７、１１、…、４ｋ＋３、…で構成される。一例としてインターレース０を説明する。サブパケットがスロット０で送信される。このパケットを正確に復号した後に、受信器は、ＡＣＫを送信器に送信する。この際に、送信器は、このインターレース０内の次のスロットであるスロット４で新たなパケットを開始することができる。しかしながら、スロット４で送信された第１のサブパケットが受信器で正確に受信されないと、この送信器は、この受信器からＮＡＫを受信する。この際に、この送信器は、このインターレース０内の次のスロットであるスロット８で同一のパケットの他のサブパケットを送信する。時には、受信器は、パケット境界（すなわち、サブパケットが新たなパケットの第１のサブパケットであるか又は再送信サブパケットであるか）を検出するのに難しさがあり得る。この問題を解決するために、新たなパケット指示子は、このパケットに関する送信フォーマット情報を運搬する制御チャネルで送信されてもよい。時には、この受信器がこのパケットを容易に検出し復号するように助けるために、サブパケットＩＤ又はイーブン（even）ＨＡＲＱチャネルＩＤのようなさらに精巧なＨＡＲＱチャネル情報バージョンが送信されることができる。
【００４０】
頻繁に、多入力多出力（ＭＩＭＯ）と呼ばれる多重アンテナ通信システムが、システム性能を向上させるために無線通信で幅広く使用される。ＭＩＭＯシステムにおいて、送信器は、独立した信号を送信することができる複数のアンテナを有し、受信器は、複数の受信アンテナを備える。１本の送信アンテナだけを備えるか又は送信された１つのデータのストリームだけが存在すると、ＭＩＭＯシステムは、単一入力多重出力（single input multiple output：ＳＩＭＯ）となる。１本の受信アンテナだけが存在すると、ＭＩＭＯシステムは、多重入力単一出力（multiple input single output：ＭＩＳＯ）となる。１本の送信アンテナ及び１本の受信アンテナだけが存在すると、ＭＩＭＯシステムは、単一入力単一出力（single input single output：ＳＩＳＯ）となる。ＭＩＭＯ技術は、帯域幅又は全送信電力の増加なしにシステムのスループット及び範囲を相当に増加させることができる。一般に、ＭＩＭＯ技術は、多重アンテナにより空間ドメインで追加の自由度（dimension of freedom）を使用することにより無線通信システムのスペクトル効率を増加させる。多くの種類のＭＩＭＯ技術が存在する。例えば、空間多重化方式は、多重アンテナを介して送信された複数のデータストリーミングを許容することにより送信率を増加させる。時空間符号化のような送信ダイバーシティ方法は、複数の送信アンテナによる空間ダイバーシティを使用する。受信ダイバーシティ方法は、複数の受信アンテナによる空間ダイバーシティを使用する。ビームフォーミング技術は、受信された信号利得を向上させ、他のユーザに対する干渉を減少させる。空間分割多重接続（Spatial division multiple access：ＳＤＭＡ）は、同一の時間-周波数リソースを介してマルチユーザから又はマルチユーザに信号ストリームを送信するようにする。受信器は、これらデータストリームの空間的なシグネチャー（spatial signature）により複数のデータストリームを分離することができる。このようなＭＩＭＯ送信技術は、相互に排他的でないことに留意する。実際に、多くのＭＩＭＯ方式は、進歩した無線システムで頻繁に使用される。
【００４１】
チャネル状態が良好である場合に、例えば、端末の速度が低速である場合に、システム性能を向上させるために閉ループＭＩＭＯ方式を使用することができる。閉ループＭＩＭＯシステムにおいて、受信器は、チャネル状態及び／又は選好するＴｘ ＭＩＭＯ処理方式をフィードバックする。送信器は、送信方式を一緒に最適化するためにスケジューリング優先順位、データ、及びリソース使用可能性のような他の考慮事項とともにこのフィードバック情報を使用する。幅広く使用される閉ループＭＩＭＯ方式は、ＭＩＭＯプリコーディングと呼ぶ。プリコーディングとともに、送信データストリームは、複数の送信アンテナに通過される前に行列により予め乗じられる。図６に示すように、Ｎｔ本の送信アンテナとＮｒ本の受信アンテナとが存在すると仮定する。Ｎｔ本の送信アンテナとＮｒ本の受信アンテナとの間のチャネルをＨとして示す。したがって、Ｈは、ＮｔｘＮｒ行列である。送信器がＨに関する情報を有していると、送信器は、Ｈに従ってもっとも有利な送信方式を選択することができる。例えば、スループットを最大化することが目標であり、送信器でＨに関する情報を使用することができると、プリコーディング行列は、Ｈの右側特異行列に選択されることができる。そのようにすることにより、受信器側で複数のデータストリームのための効率的なチャネルを対角化することができ、この複数のデータストリーム間の干渉を除去することができる。しかしながら、Ｈの正確な値をフィードバックするために要求されるオーバーヘッドは、頻繁に制限される。フィードバックオーバーヘッドを減少させるために、一連のプリコーディング行列は、Ｈが具体化することができる可能な値の空間を量子化するために制限される。この量子化とともに、受信器は、選好するプリコーディング方式を通常選好するプリコーディング行列のインデックス、ランク、及び選好するプリコーディングベクトルのインデックスの形態でフィードバックする。また、受信器は、選好するプリコーディング方式のための関連ＣＱＩ値をフィードバックすることができる。
【００４２】
ＭＩＭＯシステムのもう１つの観点は、送信のための複数のデータストリームが個別に符号化されるか又はともに符号化されるかである。送信のためのすべてのレイヤーがともに符号化されると、単一コードワード（ＳＣＷ）ＭＩＭＯシステムであると呼び、それとも多重コードワード（ＭＣＷ）ＭＩＭＯシステムであると呼ぶ。ＬＴＥダウンリンクシステムにおいて、単一ユーザＭＩＭＯ（ＳＵ-ＭＩＭＯ）が使用される場合に、２個のコードワードまで単一のユーザ端末（ＵＥ）に送信されることができる。２個のコードワードがＵＥに送信される場合に、ＵＥは、この２個のコードワードを個別に知らせる必要がある。
【００４３】
もう１つのＭＩＭＯ技術は、空間分割多重接続（ＳＤＭＡ）と呼ばれ、これは、時にはマルチユーザＭＩＭＯ（ＭＵ-ＭＩＭＯ）と呼ばれる。ＳＤＭＡにおいて、複数のデータストリームは、個別に符号化され、同一の時間周波数リソースで相互に異なる対象とする受信器に送信される。アンテナ、仮想アンテナ、又はプリコーディングベクトルのような相互に異なる空間的なシグネチャーを使用することにより、受信器は、この複数のデータストリームを区別することができる。さらに、受信器の適当なグループをスケジューリングし、チャネル状態情報に基づいて各データストリームのための適当な空間的なシグネチャーを選択することにより、関心ある信号が強化されることができる一方、他の信号は、同時に複数の受信器のために強化されることができる。したがって、このシステム容量は、向上することができる。単一ユーザＭＩＭＯ（ＳＵ-ＭＩＭＯ）及びマルチユーザＭＩＭＯ（ＭＵ-ＭＩＭＯ）の両方は、ＬＴＥのダウンリンクで採択される。また、マルチユーザＭＩＭＯは、ＬＴＥのアップリンクで採択されるが、ＬＴＥアップリンクのための単一ユーザＭＩＭＯは、いまだに議論中である。
【００４４】
ＬＴＥシステムにおいて、幾つかのリソース、すなわち、制御チャネル要素は、ダウンリンク制御チャネル送信のために予約される。制御チャネル候補集合は、ダウンリンク制御チャネルのために予約されたこの制御チャネル要素に基づいて構成されることができる。各ダウンリンク制御チャネルは、この制御チャネル候補集合の１つを介して送信されることができる。図９は、制御チャネル要素及び制御チャネル候補集合の一例を示す。この例において、１１個の制御チャネル候補集合は、６個の制御チャネル要素で構成されることができる。以下では、この制御チャネル候補集合を制御チャネルリソース集合又は簡単にリソース集合と呼ぶ。
【００４５】
図１０は、３ＧＰＰ ＬＴＥシステムにおけるダウンリンクサブフレーム構成を示す。３ＧＰＰ ＬＴＥシステムにおいて、時間及び周波数リソースは、複数のリソースブロック（ＲＢ）２１０に分けられることができる。また、各リソースブロック２１０は、時間及び周波数ドメインで複数のリソース要素２１１に分割されることができる。図１０に示すように、１つのＯＦＤＭシンボルは、同一の時区間に対応するリソース要素の列を使用して送信されることができる。典型的な構成において、各サブフレームは、１ｍｓであり、１４個のＯＦＤＭシンボルを含む。サブフレーム内のＯＦＤＭシンボルは、０から１３までインデキシングされると仮定する。アンテナ０及びアンテナ１に対する参照シンボル（ＲＳ）は、ＯＦＤＭシンボル０、４、７、及び１１に位置する。アンテナ２及びアンテナ３に対する参照シンボルは、ＯＦＤＭシンボル２及び８に位置する。制御チャネルフォーマット指示子（Control Channel Format Indicator：ＣＣＦＩ）、応答信号（acknowledgement signal：ＡＣＫ）、及びパケットデータ制御チャネル（packet data control channel：ＰＤＣＣＨ）信号を含む制御チャネル信号は、最初の１つ、又は２つ、又は３つのＯＦＤＭシンボルで送信される。制御チャネル信号のために使用されたＯＦＤＭシンボルの個数は、ＣＣＦＩにより示される。データチャネル信号、すなわち、物理ダウンリンク共有チャネル（Physical Downlink Shared Channel：ＰＤＳＣＨ）信号は、他のＯＦＤＭシンボルで送信される。
【００４６】
本発明は、制御チャネル及びデータチャネルからＯＦＤＭシステム内のリソースへのロバストなマッピングを提供するための装置及び方法を提案する。
【００４７】
本発明の長所及び特徴は、下記の発明の詳細な説明で開示している様々な実施形態を介して明らかになる。また、本発明は、本発明の範囲及び趣旨を逸脱することなく様々な変更が可能であることはもちろんである。したがって、図面及び図面に関する説明は、本質的に本発明の内容を説明するためのものであるだけであり、本発明の内容を限定しない。また、添付された図面の参照符号は、本発明の一例として説明されるだけであり、本発明を限定しないことに留意すべきである。以下の説明では、３ＧＰＰ ＬＴＥシステムにおけるダウンリンクサブフレームを例を挙げて説明する。しかしながら、本発明は、ＬＴＥシステムにおけるダウンリンクサブフレームに限定されず、アップリンクサブフレームの構成及び他のシステムにも適用されることができる。
【００４８】
図１１は、本発明の一実施形態に従ってＬＴＥダウンリンクシステムで変調シンボルを複数のリソース要素にマッピングするための方式を示す。説明の便宜上、ＬＴＥダウンリンクサブフレームで１４個のＯＦＤＭシンボルは、０から１３までインデキシングされる。制御チャネル信号は、最初の１つ、又は２つ、又は３つのＯＦＤＭシンボルを占有することができる一方、データチャネルは、この制御チャネルにより占有されないＯＦＤＭシンボルを占有することができる。このＬＴＥダウンリンクサブフレームは、ＯＦＤＭシンボル３乃至１３に対応するリソース要素を含む領域１とＯＦＤＭシンボル０、１、及び２に対応するリソース要素を含む領域２とに分けられることができる。説明の便宜のために、制御チャネル及びデータチャネルが同一のＯＦＤＭシンボルで送信されないと仮定する。それにもかかわらず、本発明のすべての実施形態は、制御チャネル及びデータチャネルがこの同一のＯＦＤＭシンボルで多重化する場合にも適用可能である。一般に、領域１は、サブフレーム内で送信された特定の制御チャネル情報の値、例えば、制御チャネルフォーマット指示子（ＣＣＦＩ）に関係なくデータチャネル送信により使用されるサブフレーム内のリソース要素の集合として定義されることができる。このリソース要素がこのサブフレーム内で送信された特定の制御チャネル情報により示される他のオーバーヘッドチャネル、例えば、ＣＣＦＩにより使用されないと、領域２は、データチャネル送信により使用され得るサブフレーム内のリソース要素の集合として定義されることができる。
【００４９】
直交周波数分割多重接続（Orthogonal Frequency Division Multiple Access：ＯＦＤＭＡ）を使用するサブフレーム内に複数のデータチャネル送信が存在することができることに留意する。１つのデータチャネルのために、領域１で使用可能なＮ１個のリソース要素及び領域２で使用可能なＮ２個のリソース要素が存在すると仮定する。ＯＦＤＭシンボル３乃至１３を含む領域１でデータ送信のためのリソース要素の使用可能性は、いかなる制御チャネル情報にも独立する。しかしながら、領域２でデータ送信のためのリソース要素の使用可能性は、幾つかの制御チャネル情報に従属されることができる。ＬＴＥダウンリンクサブフレームの第１の実施形態において、領域２のＯＦＤＭシンボル０、１、及び２でデータ送信のためのリソース要素の使用可能性は、ＣＣＦＩ値に依存する。例えば、ＣＣＦＩが、領域２のＯＦＤＭシンボル０及び１が制御チャネル信号の送信のために使用されることを示すと、ＯＦＤＭシンボル２内のリソース要素だけがデータ送信のために使用可能である。
【００５０】
説明の便宜のために、リソース要素にマッピングされる必要がある変調シンボルに０からＮ-１まで番号を付け、ここで、Ｎ＝Ｎ１＋Ｎ２である。図１２は、本発明の一実施形態に従って第１のステップで変調シンボルをインターリービングし、第２のステップでこのインターリービングされた変調シンボルを複数のリソース要素にマッピングする方式を示す。説明の便宜のために、本発明での説明は、図１２の第２のステップ動作として見なされることができ、これは、この変調シンボルの自然順又は番号順を仮定して変調シンボルをリソース要素にマッピングすることを説明する。しかしながら、この変調シンボルが自然順（natural order）でない場合にも、本発明での技術を適用することができることは、当業者に自明であろう。図１２に示すように、変調シンボルを配列するか又はインターリービングする第１のステップを付加することにより、本発明で説明された技術は、相互に異なる順序を有する変調シンボルの場合にも適用されることができる。また、幾つかの他の場合で、本発明で説明された技術が他の処理と結合されることができることに留意する。例えば、本発明の範囲を逸脱することなく、図１２に示すように第１のステップ及び第２のステップ動作のために変調シンボルをリソース要素に一緒にマッピングすることを説明することができる。
【００５１】
本発明による第１の実施形態において、複数の変調シンボルを複数のリソース要素にマッピングする方法は、サブフレーム内の複数のリソース要素を複数のリソース領域に分割することを予期する。このサブフレーム内の少なくとも１つのリソース領域でのマッピングは、このサブフレーム内で運搬された特定の制御チャネル情報に依存しない一方、このサブフレーム内の少なくとも他の１つのリソース領域で変調シンボルをリソース要素にマッピングすることは、このサブフレーム内で運搬されたこの制御チャネル情報に依存する。図１１は、本発明の第１の実施形態を示す。図１１に示すように、２つのリソースブロック（ＲＢｓ）は、データ送信に割り当てられる。この２つのリソースブロックが周波数ドメインで隣接する必要がないことに留意する。参照信号（ＲＳｓ）のような予め定義されたオーバーヘッドのために使用されるリソースを除いた他のリソースは、制御チャネル及びデータチャネルの送信のために使用されることができる。本実施形態において、制御チャネル信号が最初の３個のＯＦＤＭシンボルだけで送信されることができると仮定する。そして、制御チャネル送信のための割り当て及びリソースのサイズは、この制御チャネル信号により運搬されたＣＣＦＩにより示される。この２個のリソースブロック（ＲＢ）内のリソース要素（ＲＥｓ）は、２個の領域に分けられる。領域１は、サブフレーム内の最後の１１個のＯＦＤＭシンボル（すなわち、ＯＦＤＭシンボル３乃至１１）に対応するリソース要素で構成される。領域２は、サブフレーム内の最初の３個のＯＦＤＭシンボルに対応するリソース要素で構成される。制御信号及びデータは、領域２で多重化され、領域２で制御チャネルのための割り当て及びリソースのサイズは、ＣＣＦＩにより示される。すなわち、領域２でのデータチャネル送信のための割り当て及びリソースのサイズは、ＣＣＦＩに依存する。図１に示すように、変調器に入力される前に、情報ビット及びチャネル符号化方式により生成された符号化されたビットは、各送信のためにレートマッチング、インターリービング、及び変調が行われる。この後に、この変調シンボルは、チャネルインターリービングされることができる。この変調シンボルは、ＣＣＦＩから独立する形態で、領域１でデータリソース要素（すなわち、データチャネル送信のために使用可能なリソース要素）にマッピングされる。例えば、図１１に示すように、変調シンボルは、行単位で使用可能なデータリソース要素にマッピングされる。具体的に、変調シンボル０乃至２３は、４番目のＯＦＤＭシンボル（すなわち、ＯＦＤＭシンボル３）内で２４個のデータリソース要素にマッピングされる。変調シンボル２４乃至３９は、５番目のＯＦＤＭシンボル（すなわち、ＯＦＤＭシンボル４）内で１６個のデータリソース要素にマッピングされる。変調シンボル２０８乃至２３１は、１４番目のＯＦＤＭシンボル（すなわち、ＯＦＤＭシンボル１３）内で２４個のデータリソース要素にマッピングされる。制御チャネル（ＰＤＣＣＨ）信号が最初の２個のＯＦＤＭシンボル（すなわち、ＯＦＤＭシンボル１及び２）を占有すると仮定すると、３番目のＯＦＤＭシンボル内のリソース要素は、データチャネル送信のために使用されることもできる。したがって、変調シンボル２３２乃至２５５は、３番目のＯＦＤＭシンボル（すなわち、ＯＦＤＭシンボル２）内の使用可能な２４個のデータリソース要素にマッピングされる。必要に応じて、追加のチャネルインターリービング及びこの変調シンボルの他の処理が行われることができる。望ましくは、この処理は、ＣＣＦＩから独立する領域１内でのリソース割り当て及び変調シンボルマッピングを保持するために領域２内に限定されなければならない。上述したマッピング方法は、一例として説明しただけ、異なるリソース割り当て及び変調マッピング方法が本発明の範囲を逸脱することなく適用されることができることは自明である。図１１において、変調シンボルら０乃至２３１を領域１にマッピングする方式は、ＣＣＦＩに依存しないいかなるマッピング方式であってもよい。例えば、最後のＯＦＤＭシンボルから開始して変調シンボルを領域１内のリソース要素にマッピングすることができる。この場合に、変調シンボル０乃至２３は、最後のＯＦＤＭシンボル（すなわち、ＯＦＤＭシンボル１３）にマッピングされ、変調シンボル２４乃至４７は、最後のＯＦＤＭシンボルで２番目のシンボル（すなわち、ＯＦＤＭシンボル１２）にマッピングされ、変調シンボル２０８乃至２３１は、４番目のＯＦＤＭシンボル（すなわち、ＯＦＤＭシンボル１１）にマッピングされる。
【００５２】
図１３は、本発明の第１の実施形態による変調シンボルをマッピングするための過程を示す。まず、ステップＳ３１０で、送信されるデータ信号及び制御信号は、データシンボル及び制御シンボルを含む複数の変調シンボルに変調される。ステップＳ３２０で、サブフレーム内で送信のために使用可能なリソース要素は、領域１及び領域２に分けられる。ステップＳ３３０で、この変調シンボルは、領域１及び領域２にマッピングされる。具体的に、領域１への変調シンボルのマッピングは、この制御信号内で運搬されたＣＣＦＩ情報に依存せず、領域２への変調シンボルのマッピングは、この制御信号内で運搬されたＣＣＦＩ情報に依存する。最後に、ステップＳ３４０で、このリソース要素にマッピングされた変調シンボルは、複数のアンテナを介して送信される。
【００５３】
図１４は、本発明の第２の実施形態に従って、複数の領域リソースマッピングの受信器の動作を示す。説明のために、図１１に示している実施形態が使用される。ステップＳ４１０で、受信器は、まず、制御チャネル信号により運搬されたＣＣＦＩ情報を復号する。この検出されたＣＣＦＩに基づいて、この受信器は、どんなリソース要素が領域２でデータチャネル送信のために割り当てられるかを把握することができる。ステップＳ４２０で、この受信器は、変調シンボルを領域２のデータリソース要素にマッピングする方式に従って領域２の使用可能なデータリソース要素に関するこの受信された変調シンボルを収集する。このマッピング方式は、この送信過程が開始される前に予め定義され得る。選択的に、送信器は、このマッピング方式に関する情報を含む制御チャネル信号を送信してもよい。ステップＳ４３０で、この受信器は、変調シンボルを領域１のデータリソース要素にマッピングする方式により第１のデータパケットを生成するために、領域１の使用可能なデータリソース要素に関する変調シンボルを収集する。この後に、ステップＳ４４０で、この受信器は、領域１からの変調シンボルを含む第１のデータパケットの復号を試みるのであろう。ステップＳ４５０で、この受信器は、この第１のデータパケットがサイクリックリダンダンシーチェック（cyclic redundancy check：以下、“ＣＲＣ”と称する。）機能を使用して復号するか否かを検査する。この第１のデータパケットが復号されると、すなわち、ＣＲＣ検査を行うと、この受信器は、ステップＳ４６０での追加のプロセッシングのためにこの復号されたパケットを上位レイヤーに通過させることができる。それとも、ステップＳ４７０で、この受信器は、領域１及び領域２での変調シンボルを含む第２のデータパケットを生成し、この第２のデータパケットの復号を試みる。ステップＳ４８０で、この受信器は、ステップＳ４６０での追加のプロセッシングのために、この復号されたパケットを上位レイヤーに通過させる。選択的に、この受信器は、まず領域１及び領域２での変調シンボルを有するデータパケットの復号を試みることができる。この復号が成功すると、すなわち、ＣＲＣ検査を行うと、この受信器は、さらなるプロセッシングのために、この復号されたパケットを上位レイヤーに通過させることができる。それとも、この受信器は、領域１での変調シンボルを有するデータパケットの復号を試みるのであろう。選択的に、消去検出又はＣＲＣは、ＣＣＦＩの検出に適用されることができる。この受信器がＣＣＦＩの検出に成功することができない場合、すなわち、ＣＣＦＩ消去又はＣＣＦＩ検出エラーが発生すると、この受信器は、このパケットを復号するために領域１での変調シンボルだけを使用する。それとも、この受信器は、このパケットを復号するために領域１及び領域２での変調シンボルを使用する。
【００５４】
本発明の第３の実施形態によると、変調シンボル０、１、．．．、Ｎ１−１は、領域１にマッピングされ、変調シンボルＮ１、Ｎ１＋１、．．．、Ｎ−１は、領域２にマッピングされる。一例として図１２をさらに使用すると、データ送信のために総２５６個の変調シンボルが存在する。最初の２３２個の変調シンボルは、領域１のリソース要素にマッピングされ、他の２４個の変調シンボルは、領域２のリソース要素にマッピングされる。送信可能な変調シンボルの数がデータ送信のために使用可能なリソース要素の数と同一であることに留意する。２個の領域接近で、ＣＣＦＩ値に関係なく、最初のＮ１個の変調シンボルは、領域１のＮ１個のリソース要素にマッピングされる。しかしながら、領域２で送信された使用可能なデータリソース要素の個数及び変調シンボルの個数は、ＣＣＦＩ値に依存する。
【００５５】
本発明の第４の実施形態によると、変調シンボルをサブフレーム内のリソース要素にマッピングする方法は、このサブフレーム内のリソース要素を複数のリソース領域に分離することを予期する。ここで、この変調シンボルをマッピングする方法は、昇順にＯＦＤＭシンボルを用いてこのサブフレーム内の少なくとも１つのリソース領域でこの変調シンボルをマッピングすると同時に、降順にＯＦＤＭシンボルを用いてこのサブフレーム内の少なくとも他の１つのリソース領域でこの変調シンボルをリソース要素にマッピングする。例えば、ＬＴＥダウンリンクサブフレームにおいて、領域１での変調シンボルのマッピングは、ＯＦＤＭシンボル３のリソース要素から開始すると同時に、このＯＦＤＭシンボルは、昇順に満たされる一方、領域２での変調シンボルのマッピングは、ＯＦＤＭシンボル２のリソース要素から開始すると同時に、このＯＦＤＭシンボルは、降順に満たされる。すなわち、このＯＦＤＭシンボルが変調シンボルで満たされる順序は、３、４、５、６、７、８、９、１０、１１、１２、１３、２、１、０である。領域２でのリソース要素（ＯＦＤＭシンボル０、１、２）の使用可能性は、この制御チャネルフォーマット指示子（ＣＣＦＩ）に依存する。このマッピング方法は、データ送信で複数のコードブロックが存在する際に特に有用である。時間ドメインで順次に配列されたＯＦＤＭシンボルにコードブロックをマッピングすることにより、この受信器は、全サブフレームを受信する前に幾つかのコードブロックの復号を開始することができる。図１５も本発明の第４の実施形態を示す。また、周波数ドメインでリソース要素に変調シンボルをマッピングする順序は、本発明の範囲を逸脱することなく変更されることができる。例えば、図１５は、変調シンボル０乃至２３が周波数軸に沿って連続的な順序にＯＦＤＭシンボル３のリソース要素にマッピングされることを示す。しかしながら、周波数ドメインでのマッピング順序は、本発明の範囲を逸脱することなく、例えば、周波数ドメインインターリービングにより変更されることができる。
【００５６】
本発明の第５の実施形態によると、各コードブロックの変調シンボルを少なくとも１つのリソース領域内のリソース要素にマッピングすることは、このサブフレーム内で運搬された特定の制御チャネル情報とは無関係である。図１６は、本発明の第５の実施形態を示す。このような例において、コードブロックＡのために符号化されたビットを運搬する変調シンボルは、領域１でのＯＦＤＭシンボル３及びＯＦＤＭシンボル４、領域２でのＯＦＤＭシンボル２で送信される。コードブロックＢのために符号化されたビットを運搬する変調シンボルは、領域１でのＯＦＤＭシンボル４及びＯＦＤＭシンボル５、領域２でのＯＦＤＭシンボル２で送信される。コードブロックＣのために符号化されたビットを運搬する変調シンボルは、領域１でのＯＦＤＭシンボル５及びＯＦＤＭシンボル６、領域２でのＯＦＤＭシンボル２で送信される。このようにすることにより、この受信器は、全サブフレームを受信する前に幾つかのコードブロックの復号を開始することができる。例えば、この受信器は、ＯＦＤＭシンボル２、３、及び４のデータリソース要素の受信及び復調を行った後に、コードブロックＡの復号を開始することができる。
【００５７】
本発明の第６の実施形態によると、各コードブロック内の変調シンボルを少なくとも１つのリソース領域内のリソース要素にマッピングすることは、このサブフレーム内で運搬された特定の制御チャネル情報とは無関係である一方、各コードブロックの変調シンボルを少なくとも他の１つのリソース領域内のリソース要素にマッピングすることは、このサブフレーム内で運搬された特定の制御チャネル情報に依存する。一例として図１６をさらに使用すると、この領域２内のコードブロックＡ、Ｂ、及びＣに対するデータリソース要素の個数及び位置は、ＣＣＦＩ情報に依存する一方、領域１内のコードブロックＡ、Ｂ、及びＣに対するデータリソース要素の個数及び位置は、このＣＣＦＩ情報に依存しない。
【００５８】
本発明の第７の実施形態によると、複数のリソース領域の中の少なくとも１つのリソース領域内のデータリソース要素の個数は、各コードブロックに対するほぼ同一のエラー保護を保証するために複数のコードブロックの中でほぼ同一に割り当てられる。全送信ブロックのために１つのＣＲＣだけが存在するために、可能な多くのエラー保護を受信することが各コードブロックのために重要である。使用可能なデータリソース要素の個数は、コードブロックの数により分けられることができない点に留意する。したがって、各コードブロックに割り当てられたデータリソース要素の個数をほぼ同一に保証することができる。領域１でのデータ送信のために使用可能なＮ１個の変調シンボルと領域２でのデータ送信のために使用可能なＮ２個の変調シンボルとが存在すると仮定する。そして、Ｎｓｅｇ個のコードブロックが存在すると仮定する。
【数１】
0005614905.tif 000002
をｘより大きいか又は同一のもっとも小さい整数として定義する。
【数２】
0005614905.tif 000003
をｘより小さいか又は同一のもっとも大きい整数として定義する。ｘ ｍｏｄ ｙは、ｘ／ｙの余りとして定義する。一例として、領域１内のコードブロックｊに割り当てられたデータリソース要素の個数であるＭｊ，１は、下記の数式（１）のように表現される。
【００５９】
【数３】
0005614905.tif 000004
【００６０】
同様に、領域２内のコードブロックｊに割り当てられたデータリソース要素の個数であるＭｊ，２は、下記の数式（２）のように表現される。
【００６１】
【数４】
0005614905.tif 000005
【００６２】
本実施形態において、領域１の開始地点で若干さらに多いデータリソース要素の個数、すなわち、
【数５】
0005614905.tif 000006
をこのコードブロックに割り当て、この領域１の最後地点で若干さらに少ないデータリソース要素の個数、すなわち、
【数６】
0005614905.tif 000007
をこのコードブロックに割り当てる。このような方式は、この開始地点でのコードブロックがこの最後地点でのコードブロックより大きいサイズを有する場合によく動作する。選択的に、開始地点で若干さらに少ないデータリソース要素の個数をこのコードブロックに割り当て、最後地点で若干さらに多いデータリソース要素の個数をこのコードブロックに割り当てることができる。このような方式は、この開始地点でのコードブロックがこの最後地点でのコードブロックより小さいサイズを有する場合によく動作する。この場合に、領域１内のコードブロックｊに割り当てられたデータリソース要素の個数であるＭｊ，１は、下記の数式（３）のように表現される。
【００６３】
【数７】
0005614905.tif 000008
【００６４】
同様に、領域２内のコードブロックｊに割り当てられたデータリソース要素の個数であるＭｊ，２は、下記の数式（４）のように表現される。
【００６５】
【数８】
0005614905.tif 000009
【００６６】
本実施形態は、１つのリソース領域だけが存在する場合、すなわち、すべてのデータリソース要素が同一のリソース領域に属している際にも適用可能である。例えば、１つのリソース領域だけが存在する場合に、データリソース要素の個数は、複数のコードブロックの中でほぼ同一に割り当てられる。コードブロックｊのデータリソース要素の個数は、上述した数式（１）により与えられることができる。選択的に、コードブロックｊのデータリソース要素の個数は、上述した数式（３）により与えられることができる。１つのリソース領域だけが存在する場合に、Ｎ１は、リソース要素の総個数である。
【００６７】
本発明の第８の実施形態によると、少なくとも１つのリソース領域で、符号化されたビットの個数又は変調シンボルでの変調位置の個数は、各コードブロックに対するほぼ同一のエラー保護を保証するために複数のコードブロックの中でほぼ同一に割り当てられる。例えば、変調次数がＬであると仮定すると、１６ＱＡＭの場合にＬ＝４である。変調位置は、Ｌ番目の次数変調シンボルが運搬するＬ個のビット中の１つである。例えば、ＱＰＳＫ変調シンボル（Ｌ＝２）は、２個の変調位置を有し、各変調位置は、この変調シンボルにより運搬されるビットに対応する。１６-ＱＡＭ変調シンボル（Ｌ＝４）は、４個のビットを運搬することができる。このように、１６-ＱＡＭ変調シンボルに４個の変調位置が存在する。したがって、Ｎ１×Ｌ個の符号化されたビットの総個数は、領域１で送信されることができる。Ｎ２×Ｌ個の符号化されたビットの総個数は、領域２で送信されることができる。このリソース割り当ては、符号化されたビットに基づいて行われることができる。一例として、領域１でコードブロックｊに割り当てられた符号化されたビットの個数であるＭｊ，１は、下記の数式（５）のように表現される。
【００６８】
【数９】
0005614905.tif 000010
【００６９】
同様に、領域２でコードブロックｊに割り当てられた符号化されたビットの個数であるＭｊ，２は、下記の数式（６）のように表現される。
【００７０】
【数１０】
0005614905.tif 000011
【００７１】
本実施形態において、開始地点で若干さらに多い符号化されたビットの個数、すなわち、
【数１１】
0005614905.tif 000012
をこのコードブロックに割り当て、最後地点で若干さらに少ない符号化されたビットの個数、すなわち、
【数１２】
0005614905.tif 000013
をこのコードブロックに割り当てる。このような方式は、この開始地点でのコードブロックがこの最後地点でのコードブロックより大きいサイズを有する場合によく動作する。選択的に、開始地点で若干さらに少ない符号化されたビットの個数をこのコードブロックに割り当て、最後地点で若干さらに多い符号化されたビットの個数をこのコードブロックに割り当てることができる。このような方式は、この開始地点でのコードブロックがこの最後地点でのコードブロックより小さいサイズを有する場合によく動作する。この場合に、領域１内のコードブロックｊに割り当てられた符号化されたビットの個数であるＭｊ，１は、下記の数式（７）のように表現される。
【００７２】
【数１３】
0005614905.tif 000014
【００７３】
同様に、領域２内のコードブロックｊに割り当てられたデータリソース要素の個数であるＭｊ，２は、下記の数式（８）のように表現される。
【００７４】
【数１４】
0005614905.tif 000015
【００７５】
本実施形態は、１つのリソース領域だけが存在する場合、すなわち、すべてのデータリソース要素が同一のリソース領域に属している際にも適用可能である。例えば、１つのリソース領域だけが存在する場合に、符号化されたビットの個数は、複数のコードブロックの中でほぼ同一に割り当てられる。コードブロックｊに割り当てられた符号化されたビットの個数は、上述した数式（５）により与えられることができる。選択的に、コードブロックｊに割り当てられた符号化されたビットの個数は、上述した数式（７）により与えられることができる。１つのリソース領域だけが存在する場合に、Ｎ１は、リソース要素の総個数である。
【００７６】
本発明の第９の実施形態によると、少なくとも１つのリソース領域内のデータリソース要素の個数は、各コードブロックに対するほぼ同一のエラー保護を保証するために複数のコードブロックの中でほぼ同一の符号化率を達成するように割り当てられる。例えば、領域１内のコードブロックｊに割り当てられたデータリソース要素の個数であるＭｊ，１は、下記の数式（９）のように表現される。
【００７７】
【数１５】
0005614905.tif 000016
【００７８】
ここで、Ｋｊは、このコードブロックｊの情報ブロックサイズであり、下記の数式（１０）は、
【数１６】
0005614905.tif 000017
である際の個数である。
【００７９】
【数１７】
0005614905.tif 000018
【００８０】
要求されなくても、望ましくは、Ｋｊの定義は、テールビットを含む。
【００８１】
同様に、領域２内のコードブロックｊに割り当てられたデータリソース要素の個数であるＭｊ，２は、下記の数式（１１）のように表現される。
【００８２】
【数１８】
0005614905.tif 000019
ここで、下記の数式（１２）は、
【数１９】
0005614905.tif 000020
である際の個数である。
【００８３】
【数２０】
0005614905.tif 000021
【００８４】
本実施形態において、開始地点で若干さらに多いデータリソース要素の個数をこのコードブロックに割り当て、最後地点で若干さらに少ないデータリソース要素の個数をこのコードブロックに割り当てる。このような方式は、この開始地点でのコードブロックがこの最後地点でのコードブロックより大きいサイズを有する場合によく動作する。選択的に、開始地点で若干さらに少ないデータリソース要素の個数をこのコードブロックに割り当て、最後地点で若干さらに多いデータリソース要素の個数をこのコードブロックに割り当てることができる。このような方式は、この開始地点でのコードブロックがこの最後地点でのコードブロックより小さいサイズを有する場合によく動作する。この場合に、領域１内のコードブロックｊに割り当てられたデータリソース要素の個数であるＭｊ，１は、下記の数式（１３）のように表現される。
【００８５】
【数２１】
0005614905.tif 000022
【００８６】
同様に、領域２内のコードブロックｊに割り当てられたデータリソース要素の個数であるＭｊ，２は、下記の数式（１４）のように表現される。
【００８７】
【数２２】
0005614905.tif 000023
【００８８】
本実施形態は、１つのリソース領域だけが存在する場合、すなわち、すべてのデータリソース要素が同一のリソース領域に属している際にも適用可能である。例えば、１つのリソース領域だけが存在する場合に、データリソース要素の個数は、ほぼ同一の符号化率を達成するように割り当てられる。コードブロックｊに割り当てられたデータリソース要素の個数は、上述した数式（９）により与えられることができる。選択的に、コードブロックｊに割り当てられたデータリソース要素の個数は、上述した数式（１３）により与えられることができる。１つのリソース領域だけが存在する場合に、Ｎ１は、リソース要素の総個数であることに留意する。
【００８９】
本発明の第１０の実施形態によると、少なくとも１つのリソース領域で、符号化されたビットの個数又は変調シンボルでの変調位置の個数は、各コードブロックに対するほぼ同一のエラー保護を保証するために複数のコードブロックの中でほぼ同一の符号化率を達成するように割り当てられる。例えば、領域１内のコードブロックｊに割り当てられた符号化されたビットの個数であるＭｊ，１は、下記の数式（１５）のように表現される。
【００９０】
【数２３】
0005614905.tif 000024
【００９１】
ここで、下記の数式（１６）は、
【００９２】
【数２４】
0005614905.tif 000025
【００９３】
【数２５】
0005614905.tif 000026
である際の個数である。
【００９４】
同様に、領域２内のコードブロックｊに割り当てられた符号化されたビットの個数であるＭｊ，２は、下記の数式（１７）のように表現される。
【００９５】
【数２６】
0005614905.tif 000027
【００９６】
ここで、下記の数式（１８）は、
【００９７】
【数２７】
0005614905.tif 000028
【００９８】
【数２８】
0005614905.tif 000029
である際の個数である。
【００９９】
本実施形態において、開始地点で若干さらに多い符号化されたビットの個数をこのコードブロックに割り当て、最後地点で若干さらに少ない符号化されたビットの個数をこのコードブロックに割り当てる。このような方式は、この開始地点でのコードブロックがこの最後地点でのコードブロックより大きいサイズを有する場合によく動作する。選択的に、開始地点で若干さらに少ない符号化されたビットの個数をこのコードブロックに割り当て、最後地点で若干さらに多い符号化されたビットの個数をこのコードブロックに割り当てることができる。このような方式は、この開始地点でのコードブロックがこの最後地点でのコードブロックより小さいサイズを有する場合によく動作する。この場合に、領域１内のコードブロックｊに割り当てられた符号化されたビットの個数であるＭｊ，１は、下記の数式（１９）のように表現される。
【０１００】
【数２９】
0005614905.tif 000030
【０１０１】
同様に、領域２内のコードブロックｊに割り当てられた符号化されたビットの個数であるＭｊ，２は、下記の数式（２０）のように表現される。
【０１０２】
【数３０】
0005614905.tif 000031
【０１０３】
本実施形態は、１つのリソース領域だけが存在する場合、すなわち、すべてのデータリソース要素が同一のリソース領域に属している際にも適用可能である。例えば、１つのリソース領域だけが存在する場合に、符号化されたビットの個数は、複数のコードブロックの中でほぼ同一の符号化率を達成するように割り当てられる。コードブロックｊに割り当てられた符号化されたビットの個数は、上述した数式（１５）により与えられることができる。選択的に、コードブロックｊに割り当てられたデータリソース要素の個数は、上述した数式（１９）により与えられることができる。１つのリソース領域だけが存在する場合に、Ｎ１は、リソース要素の総個数である。
【０１０４】
本発明の第１１の実施形態によると、領域１内のリソース要素だけが特定のデータ送信のために使用される。この場合に、この受信器がダウンリンクリソース割り当て及び送信フォーマットを予め認識していると、ＣＣＦＩエラーによる性能劣化の危険は、完全に除去されることができる。
【符号の説明】
【０１０５】
１１０・・・送信器チェーン
１１２・・・変調器
１１３・・・直列／並列変換器
１１４・・・逆高速フーリエ変換部
１１６・・・ＣＰ挿入部
１１７・・・送信器前端処理部
１２０・・・受信器チェーン
１２１・・・前端処理部
１２２・・・ＣＰ除去部
１２４・・・高速フーリエ変換部
【図１】
0005614905.tif 000036
【図２】
0005614905.tif 000037
【図３】
0005614905.tif 000038
【図４】
0005614905.tif 000039
【図５】
0005614905.tif 000040
【図６】
0005614905.tif 000041
【図７】
0005614905.tif 000042
【図８】
0005614905.tif 000043
【図９】
0005614905.tif 000044
【図１０】
0005614905.tif 000045
【図１１】
0005614905.tif 000046
【図１２】
0005614905.tif 000047
【図１３】
0005614905.tif 000048
【図１４】
0005614905.tif 000049
【図１５】
0005614905.tif 000050
【図１６】
0005614905.tif 000051